(57)【特許請求の範囲】
【請求項１】
左目用画像及び右目用画像を交互に表示する画像表示装置を備えた画像表示システムに用いられ、光を透過させる透過状態、または光を遮断する遮断状態に切り替わる左目用選択部及び右目用選択部を備えたシャッター眼鏡であって、
当該シャッター眼鏡の傾斜状態を検出する傾斜検出部と、
前記画像表示装置から前記左目用画像の表示タイミングに同期した左切替信号、及び前記右目用画像の表示タイミングに同期した右切替信号を取得する信号取得部と、
前記傾斜検出部の出力値と所定の閾値とを比較するとともに、前記出力値に基づいて、当該シャッター眼鏡の傾斜方向を判定する傾斜状態判定部と、
前記左目用選択部及び前記右目用選択部を前記透過状態または前記遮断状態に切り替える切替動作部と、を備え、
前記切替動作部は、
前記出力値が前記閾値未満である場合に、前記左切替信号の取得タイミングに応じて前記左目用選択部のみを前記遮断状態から前記透過状態に切り替えるとともに、前記右切替信号の取得タイミングに応じて前記右目用選択部のみを前記遮断状態から前記透過状態に切り替え、
前記出力値が前記閾値以上である場合に、前記左切替信号及び前記右切替信号のうち前記傾斜方向に対応した信号の取得タイミングに応じて前記左目用選択部及び前記右目用選択部の双方を前記遮断状態から前記透過状態に切り替える
ことを特徴とするシャッター眼鏡。
【請求項２】
左目用画像及び右目用画像を交互に表示する画像表示装置と、
請求項１に記載のシャッター眼鏡と、を備え、
前記画像表示装置は、
画像を表示する表示部と、
前記表示部による前記左目用画像及び前記右目用画像の各表示タイミングにそれぞれ同期した左切替信号及び右切替信号を前記シャッター眼鏡にそれぞれ出力する信号出力部と、
前記表示部及び前記信号出力部を制御する制御部と、を備える
ことを特徴とする画像表示システム。
【請求項３】
請求項２に記載の画像表示システムにおいて、
前記信号出力部は、前記左切替信号及び前記右切替信号を直線偏光でそれぞれ出力し、
前記信号取得部は、前記左切替信号及び前記右切替信号を受光する複数の受光部を備え、
前記複数の受光部は、互いに異なる偏光方向を有する各直線偏光成分のみをそれぞれ受光し、
前記傾斜検出部は、前記複数の受光部でそれぞれ受光された前記左切替信号及び前記右切替信号に基づいて、前記シャッター眼鏡の傾斜状態を検出する
ことを特徴とする画像表示システム。
【請求項４】
左目用画像及び右目用画像を交互に表示する画像表示装置と、
光を透過させる透過状態と光を遮断する遮断状態とが交互に切り替わる左目用選択部及び右目用選択部を備えたシャッター眼鏡と、を備え、
前記シャッター眼鏡は、
当該シャッター眼鏡の傾斜状態を検出する傾斜検出部と、
前記傾斜検出部の出力値と所定の閾値とを比較するとともに、前記出力値に基づいて、当該シャッター眼鏡の傾斜方向を判定する傾斜状態判定部と、
前記左目用選択部及び前記右目用選択部を前記透過状態と前記遮断状態とに交互に切り替える切替動作部と、を備え、
前記切替動作部は、
前記出力値が前記閾値未満である場合に、前記画像表示装置が前記左目用画像を表示している時に前記左目用選択部のみが前記透過状態であり、前記画像表示装置が前記右目用画像を表示している時に前記右目用選択部のみが前記透過状態であるように、前記左目用選択部及び前記右目用選択部の前記透過状態と前記遮断状態との切り替えを行い、
前記出力値が前記閾値以上である場合に、前記画像表示装置が前記左目用画像及び前記右目用画像のうち前記傾斜方向に対応した画像を表示している時にのみ前記左目用選択部及び前記右目用選択部の双方が前記透過状態であるように、前記左目用選択部及び前記右目用選択部の前記透過状態と前記遮断状態との切り替えを行う
ことを特徴とする画像表示システム。
【発明の詳細な説明】
【技術分野】
【０００１】
本発明は、シャッター眼鏡、及び画像表示システムに関する。
【背景技術】
【０００２】
従来、画像を表示する画像表示装置と、観察者に装着されるシャッター眼鏡とを備え、当該シャッター眼鏡を通して画像表示装置にて表示された表示画像を立体視させる画像表示システム（立体映像表示装置）が知られている（例えば、特許文献１参照）。
特許文献１に記載の画像表示システムでは、画像表示装置は、第１表示期間では左目用画像を表示し、第２表示期間では右目用画像を表示し、左目用画像及び右目用画像を各表示期間毎に時分割で交互に表示する。
また、シャッター眼鏡は、所謂液晶シャッターで構成され、画像表示装置の上述した時分割駆動に同期して、左目用シャッターと右目用シャッターとが交互に光を透過させる透過状態と遮断する遮断状態とに変化する。
このため、観察者は、シャッター眼鏡を通して、第１表示期間では左目にて左目用画像を視認し、第２表示期間では右目にて右目用画像を視認し、視差により表示画像を立体視する。
【先行技術文献】
【特許文献】
【０００３】
【特許文献１】特開２００９−２３２２４９号公報
【発明の概要】
【発明が解決しようとする課題】
【０００４】
ところで、上述したような表示画像（左目用画像、右目用画像）は、左右に視差や輻輳を設けることにより立体視できるように構成されている。すなわち、観察者の左目及び右目が水平方向と平行に位置していることが前提となっている。
このため、観察者は、顔を傾けるような姿勢をとった場合、左右の目が水平方向に対して傾くため、シャッター眼鏡を通して表示画像を良好に立体視することができない。すなわち、上述したような姿勢では、観察者に不快感を与えてしまう、という問題がある。
【０００５】
本発明の目的は、表示画像を良好に視認させることができるシャッター眼鏡、及び画像表示システムを提供することにある。
【課題を解決するための手段】
【０００６】
本発明のシャッター眼鏡は、左目用画像及び右目用画像を交互に表示する画像表示装置を備えた画像表示システムに用いられ、光を透過させる透過状態、または光を遮断する遮断状態に切り替わる左目用選択部及び右目用選択部を備えたシャッター眼鏡であって、当該シャッター眼鏡の傾斜状態を検出する傾斜検出部と、前記画像表示装置から前記左目用画像の表示タイミングに同期した左切替信号、及び前記右目用画像の表示タイミングに同期した右切替信号を取得する信号取得部と、前記傾斜検出部の出力値と所定の閾値とを比較するとともに、前記出力値に基づいて、当該シャッター眼鏡の傾斜方向を判定する傾斜状態判定部と、前記左目用選択部及び前記右目用選択部を前記透過状態または前記遮断状態に切り替える切替動作部と、を備え、前記切替動作部は、前記出力値が前記閾値未満である場合に、前記左切替信号の取得タイミングに応じて前記左目用選択部のみを前記遮断状態から前記透過状態に切り替えるとともに、前記右切替信号の取得タイミングに応じて前記右目用選択部のみを前記遮断状態から前記透過状態に切り替え、前記出力値が前記閾値以上である場合に、前記左切替信号及び前記右切替信号のうち前記傾斜方向に対応した信号の取得タイミングに応じて前記左目用選択部及び前記右目用選択部の双方を前記遮断状態から前記透過状態に切り替えることを特徴とする。
【０００７】
本発明では、シャッター眼鏡が上述した傾斜検出部、信号取得部、傾斜状態判定部、及び切替動作部を備えるので、以下に示すように、シャッター眼鏡を通して画像表示装置による表示画像を観察者に視認させることができる。
例えば、観察者の左目及び右目が水平方向と略平行に位置しているようなシャッター眼鏡の傾きが小さい場合（傾斜検出部の出力値が所定の閾値未満である場合）には、左切替信号の取得タイミングに応じて左目用選択部が透過状態に切り替わり、右目用選択部が遮断状態に切り替わる。また、右切替信号の取得タイミングに応じて右目用選択部が透過状態に切り替わり、左目用選択部が遮断状態に切り替わる。
したがって、シャッター眼鏡の傾きが小さい場合には、観察者は、従来と同様に、左目用画像を左目のみで視認し、右目用画像を右目のみで視認し、視差により表示画像を立体視する。
【０００８】
一方、観察者が顔を傾ける等によりシャッター眼鏡の傾きが大きい場合（傾斜検出部の出力値が所定の閾値以上である場合）には、左切替信号及び右切替信号のいずれか一方の取得タイミングに応じて左目用選択部及び右目用選択部の双方が透過状態に切り替わる。
すなわち、左目用画像及び右目用画像のいずれか一方の画像が表示されている時に左目用選択部及び右目用選択部の双方を透過状態とし、他方の画像が表示されている時に左目用選択部及び右目用選択部の双方を遮断状態とすることが可能となる。
したがって、シャッター眼鏡の傾きが大きい場合には、観察者は、左目用画像及び右目用画像のいずれかの画像のみを両目で視認することとなる。
すなわち、シャッター眼鏡を通して表示画像を良好に立体視させることができない場合（シャッター眼鏡の傾きが大きい場合）には、左目用画像及び右目用画像のいずれかの画像のみを観察者に視認させる。
以上のことから、シャッター眼鏡を通して観察者に表示画像を視認させるにあたって、観察者の姿勢がいずれの姿勢であっても、観察者に不快感を与えることがなく、表示画像を良好に視認させることができる。
【０００９】
本発明のシャッター眼鏡では、前記傾斜状態判定部は、前記出力値に基づいて、当該シャッター眼鏡の傾斜方向を判定し、前記切替動作部は、前記出力値が前記閾値以上である場合に、前記左切替信号及び前記右切替信号のうち前記傾斜方向に対応した信号の前記取得タイミングに応じて前記左目用選択部及び前記右目用選択部の双方を前記遮断状態から前記透過状態に切り替える。
ところで、左目用画像及び右目用画像は、視差により観察者に立体視させるために、観察者が左側及び右側からそれぞれ見た画像として構成されている。したがって、例えば、観察者が顔を右側に傾けた際に、左目用画像のみを両目で視認させた場合には、観察者に違和感を与えてしまう。
これに対し、本発明では、傾斜状態判定部が傾斜検出部の出力値に基づいてシャッター眼鏡の傾斜方向を判定し、切替動作部が傾斜状態判定部にて判定された傾斜方向に基づいて上述したように左目用選択部及び右目用選択部を動作させる。
このことにより、シャッター眼鏡は、観察者が例えば顔を右側に傾けている場合には右目用画像のみを両目で視認させるように自動的に動作し、左側に傾けている場合には左目用画像のみを両目で視認させるように自動的に動作することとなる。
したがって、観察者に違和感を与えることなく、表示画像をさらに良好に視認させることができる。
【００１０】
なお、本発明の関連技術に係るシャッター眼鏡では、前記左目用選択部及び前記右目用選択部の双方を前記透過状態に切り替える取得タイミングとして、前記左切替信号及び前記右切替信号の各取得タイミングのうちいずれか一方の選択を受け付けるタイミング選択部を備え、前記切替動作部は、前記出力値が前記閾値以上である場合に、前記選択された取得タイミングに応じて前記左目用選択部及び前記右目用選択部の双方を前記遮断状態から前記透過状態に切り替える。
ここで、上記のように、左目用画像及び右目用画像は、視差により観察者に立体視させるために、観察者が左側及び右側からそれぞれ見た画像として構成されている。
したがって、例えば、観察者が顔を右側に傾けた際に、左目用画像のみを両目で視認させた場合には、観察者に違和感を与えてしまう。
【００１１】
これに対し、前記関連技術に係るシャッター眼鏡に上述したタイミング選択部が設けられ、切替動作部がタイミング選択部を介した取得タイミングの選択に基づいて上述したように左目用選択部及び右目用選択部を動作させる。
このことにより、観察者は、例えば、顔を右側に傾けているにも拘らず左目用画像のみを両目で視認している場合に、タイミング選択部を介して上述した取得タイミングを選択することで、右目用画像のみを両目で視認する状態に切り替えることができる。
したがって、観察者に違和感を与えることなく、表示画像をさらに良好に視認させることができる。
【００１２】
本発明の画像表示システムは、左目用画像及び右目用画像を交互に表示する画像表示装置と、上述したシャッター眼鏡と、を備え、前記画像表示装置は、画像を表示する表示部と、前記表示部による前記左目用画像及び前記右目用画像の各表示タイミングにそれぞれ同期した左切替信号及び右切替信号を前記シャッター眼鏡にそれぞれ出力する信号出力部と、前記表示部及び前記信号出力部を制御する制御部と、を備えることを特徴とする。
本発明では、画像表示システムは、上述したシャッター眼鏡を備えるので、上述したシャッター眼鏡と同様の作用及び効果を享受できる。
【００１３】
本発明の画像表示システムでは、前記信号出力部は、前記左切替信号及び前記右切替信号を直線偏光でそれぞれ出力し、前記信号取得部は、前記左切替信号及び前記右切替信号を受光する複数の受光部を備え、前記複数の受光部は、互いに異なる偏光方向を有する各直線偏光成分のみをそれぞれ受光し、前記傾斜検出部は、前記複数の受光部でそれぞれ受光された前記左切替信号及び前記右切替信号に基づいて、前記シャッター眼鏡の傾斜状態を検出することが好ましい。
本発明では、信号出力部及び信号取得部における信号の送受信にあたって、上述したような直線偏光を利用している。すなわち、シャッター眼鏡の傾きに応じて信号取得部を構成する複数の受光部の各出力値が異なるものとなるため、当該各出力値の関係に基づいて、シャッター眼鏡の傾斜状態を検出することができる。
したがって、傾斜検出部として、ジャイロセンサーや加速度センサー等を用いることなく、簡単にシャッター眼鏡の傾斜状態を検出することができる。
【００１４】
本発明の画像表示システムは、左目用画像及び右目用画像を交互に表示する画像表示装置と、光を透過させる透過状態と光を遮断する遮断状態とが交互に切り替わる左目用選択部及び右目用選択部を備えたシャッター眼鏡と、を備え、前記シャッター眼鏡は、当該シャッター眼鏡の傾斜状態を検出する傾斜検出部と、前記傾斜検出部の出力値と所定の閾値とを比較するとともに、前記出力値に基づいて、当該シャッター眼鏡の傾斜方向を判定する傾斜状態判定部と、前記左目用選択部及び前記右目用選択部を前記透過状態と前記遮断状態とに交互に切り替える切替動作部と、を備え、前記切替動作部は、前記出力値が前記閾値未満である場合に、前記画像表示装置が前記左目用画像を表示している時に前記左目用選択部のみが前記透過状態であり、前記画像表示装置が前記右目用画像を表示している時に前記右目用選択部のみが前記透過状態であるように、前記左目用選択部及び前記右目用選択部の前記透過状態と前記遮断状態との切り替えを行い、前記出力値が前記閾値以上である場合に、前記画像表示装置が前記左目用画像及び前記右目用画像のうち前記傾斜方向に対応した画像を表示している時にのみ前記左目用選択部及び前記右目用選択部の双方が前記透過状態であるように、前記左目用選択部及び前記右目用選択部の前記透過状態と前記遮断状態との切り替えを行うことを特徴とする。
【００１５】
本発明では、画像表示システムは、左目用画像及び右目用画像のうちシャッター眼鏡の傾斜方向に対応した一方の画像が表示されている時に左目用選択部及び右目用選択部の双方を透過状態とし、他方の画像が表示されている時に左目用選択部及び右目用選択部の双方を遮断状態とすることを可能とするシャッター眼鏡を備えるので、上述したシャッター眼鏡と同様の作用及び効果を享受できる。
【図面の簡単な説明】
【００１６】
【図１】第１実施形態における画像表示システムの使用形態を示す斜視図。
【図２】第１実施形態におけるディスプレイ装置の構成を示すブロック図。
【図３】第１実施形態におけるシャッター眼鏡の構成を示すブロック図。
【図４】第１実施形態における傾斜状態判定部の出力信号を説明するための図。
【図５】第１実施形態における画像表示システムの動作を説明するための図。
【図６】第２実施形態におけるシャッター眼鏡の構成を示すブロック図。
【図７】第２実施形態における画像表示システムの動作を説明するための図。
【図８】第３実施形態におけるシャッター眼鏡の構成を示すブロック図。
【図９】第３実施形態における傾斜状態判定部の構成を示すブロック図。
【図１０】第３実施形態における傾斜状態判定部の出力信号を説明するための図。
【図１１】第４実施形態における発光部の構成を模式的に示す図。
【図１２】第４実施形態におけるシャッター眼鏡の構成を示すブロック図。
【図１３】第４実施形態における受光部の構成を模式的に示す図。
【図１４】第４実施形態における傾斜検出部の構成を示すブロック図。
【図１５】第４実施形態における各受光部の出力値、傾斜検出部の出力値、及び傾斜状態判定部の出力信号を示す図。
【図１６】第５実施形態における画像表示システムの使用形態を示す斜視図。
【発明を実施するための形態】
【００１７】
[第１実施形態]
以下、本発明の第１実施形態を図面に基づいて説明する。
〔画像表示システムの構成〕
図１は、画像表示システム１の使用形態を示す斜視図である。
画像表示システム１は、表示画像を観察者に立体視させるものであり、図１に示すように、画像表示装置としてのディスプレイ装置２と、シャッター眼鏡３とを備える。
【００１８】
〔ディスプレイ装置の構成〕
図２は、ディスプレイ装置２の構成を示すブロック図である。
ディスプレイ装置２は、画面Ｐ（図１）上に画像を表示する。
このディスプレイ装置２は、図２に示すように、入力インターフェース部２１と、制御部としての信号処理部２２と、表示部２３と、信号出力部としての発光部２４とを備える。
信号処理部２２は、入力インターフェース部２１を介して外部から入力した入力信号（図５（Ａ）、図５（Ｂ））を所定の信号に変換して表示部２３に出力し、表示部２３に左目用画像及び右目用画像を時分割で交互に表示させる。
また、信号処理部２２は、表示部２３への左目用画像の表示に対応して第１切替信号を発光部２４に出力する（例えば、表示部２３による左目用画像の表示タイミングと左目用選択部３１Ｌの遮断状態から透過状態への切替タイミングとを同期させる）。
さらに、信号処理部２２は、表示部２３への右目用画像の表示に対応して第２切替信号を発光部２４に出力する（例えば、表示部２３による右目用画像の表示タイミングと右目用選択部３１Ｒの遮断状態から透過状態への切替タイミングとを同期させる）。
【００１９】
表示部２３は、液晶ディスプレイ、プラズマテレビ、有機ＥＬ（Electro Luminescence）ディスプレイ等で構成され、信号処理部２２から出力される信号に基づいて、左目用画像及び右目用画像を時分割で交互に表示する。
発光部２４は、図１に示すように、ディスプレイ装置２の外装筐体２Ａの正面から見て下方の略中央部分に配設されている。
そして、発光部２４は、具体的な図示は省略したが、赤外発光ＬＥＤ、及び当該赤外発光ＬＥＤを発光させる駆動回路等を備え、信号処理部２２からの各切替信号に応じて、赤外光を出射する。
なお、以下では、説明の便宜上、信号処理部２２からの第１切替信号に応じて発光部２４から出射される赤外光（赤外線信号）を左切替信号とし、信号処理部２２からの第２切替信号に応じて発光部２４から出射される赤外光を右切替信号とする。
【００２０】
〔シャッター眼鏡の構成〕
図３は、シャッター眼鏡３の構成を示すブロック図である。
シャッター眼鏡３は、観察者が装着するものであり、図１または図３に示すように、左目用選択部３１Ｌ及び右目用選択部３１Ｒと、信号取得部としての受光部３２（図３）と、傾斜検出部３３（図３）と、閾値設定部３４（図３）と、シャッター制御部３５（図３）とを備える。
各選択部３１Ｌ，３１Ｒは、観察者がシャッター眼鏡３を装着した際に観察者の左目及び右目にそれぞれ対応する位置に配設される。
そして、各選択部３１Ｌ，３１Ｒは、所謂液晶シャッターで構成され、ＯＮ信号の入力（電圧印加の状態）、ＯＦＦ信号の入力（電圧非印加の状態）で、光を遮断する遮断状態、光を透過させる透過状態にそれぞれ切り替わる。
【００２１】
受光部３２は、赤外光（左切替信号及び右切替信号）を受光する赤外受光素子等を備え、発光部２４から出射された赤外光を受光し、当該受光に応じた信号をシャッター制御部３５に出力する。
傾斜検出部３３は、シャッター眼鏡３の傾斜状態を検出する。
本実施形態では、傾斜検出部３３は、具体的な図示は省略したが、ジャイロセンサーや加速度センサーで構成され、シャッター眼鏡３の傾斜状態（各選択部３１Ｌ，３１Ｒが水平方向と平行に位置している状態からの傾斜状態）を検出した後、当該傾斜状態に応じた信号をシャッター制御部３５に出力する。
具体的に、傾斜検出部３３は、シャッター眼鏡３の傾きが０の場合（各選択部３１Ｌ，３１Ｒが水平方向と平行に位置している状態）には、出力値が０の信号を出力する（図４（Ａ）参照）。また、傾斜検出部３３は、シャッター眼鏡３の傾きが大きくなるにしたがって、出力値の大きい信号を出力する（図４（Ａ）参照）。
【００２２】
閾値設定部３４は、利用者による操作される部分であり、シャッター制御部３５の後述する傾斜状態判定部３６にて用いられる閾値Ｔｈ（図４参照）の選択を受け付ける。
そして、閾値設定部３４は、選択された閾値Ｔｈに応じた信号をシャッター制御部３５に出力する。
シャッター制御部３５は、傾斜検出部３３からの出力信号（傾斜状態）、受光部３２からの信号、及び閾値設定部３４を介して選択された閾値Ｔｈに基づいて、各選択部３１Ｌ，３１Ｒを制御する。
このシャッター制御部３５は、図３に示すように、傾斜状態判定部３６と、切替動作部３７とを備える。
【００２３】
図４は、傾斜状態判定部３６の出力信号を説明するための図である。具体的に、図４（Ａ）は、シャッター眼鏡３の傾きを横軸とし、傾斜検出部３３の出力信号を縦軸とした図である。図４（Ｂ）は、傾斜状態判定部３６の出力信号を示す図である。
なお、図４（Ａ）及び図４（Ｂ）において、横軸（傾き）の原点は、各選択部３１Ｌ，３１Ｒが水平方向と平行に位置している状態を示している。また、横軸の＋側は、右目用選択部３１Ｒが下方側に位置し、左目用選択部３１Ｌが上方側に位置するような右側への傾きを示している。さらに、−側は、各選択部３１Ｌ，３１Ｒが上記とは逆に位置するような左側への傾きを示している。以下に示す図１０及び図１５も同様である。
【００２４】
傾斜状態判定部３６は、傾斜検出部３３の出力値と、閾値設定部３４を介して選択された閾値Ｔｈとを比較し、比較結果に応じた信号を切替動作部３７に出力する。
具体的に、傾斜状態判定部３６は、図４（Ｂ）に示すように、傾斜検出部３３の出力値が閾値Ｔｈ未満である場合には、Lowレベルの信号を出力する。
一方、傾斜状態判定部３６は、傾斜検出部３３の出力値が閾値Ｔｈ以上である場合には、Highレベルの信号を出力する。
【００２５】
切替動作部３７は、傾斜状態判定部３６からの信号と、受光部３２からの信号とに基づいて、各選択部３１Ｌ，３１Ｒを動作させる。
この切替動作部３７は、図３に示すように、信号判別部３７１と、第１信号切替部３７２と、左駆動部３７３Ｌ及び右駆動部３７３Ｒとを備える。
【００２６】
信号判別部３７１は、受光部３２にて受光した信号が左切替信号であるか、あるいは、右切替信号であるかを判別しながら、以下に示す左側信号Ｌｓ（図３）及び右側信号Ｒｓ（図３）を出力する。
左側信号Ｌｓは、左切替信号の取得タイミングに応じて液晶シャッターを透過状態に切り替え、右切替信号の取得タイミングに応じて液晶シャッターを遮断状態に切り替える旨の信号である。
右側信号Ｒｓは、上記左側信号Ｌｓとは逆に、右切替信号の取得タイミングに応じて液晶シャッターを透過状態に切り替え、左切替信号の取得タイミングに応じて液晶シャッターを遮断状態に切り替える旨の信号である。
【００２７】
第１信号切替部３７２は、図３に示すように、スイッチで構成されている。
そして、第１信号切替部３７２は、傾斜状態判定部３６からLowレベルの信号が出力された場合には、信号判別部３７１からの左側信号Ｌｓが左駆動部３７３Ｌに出力され、右側信号Ｒｓが右駆動部３７３Ｒに出力される状態に設定する。
また、第１信号切替部３７２は、傾斜状態判定部３６からHighレベルの信号が出力された場合には、左側信号Ｌｓが各駆動部３７３Ｌ，３７３Ｒの双方に出力される状態に設定する。
【００２８】
各駆動部３７３Ｌ，３７３Ｒは、左側信号Ｌｓまたは右側信号Ｒｓに基づいて、各選択部３１Ｌ，３１ＲにＯＮ信号、ＯＦＦ信号を出力し、各選択部３１Ｌ，３１Ｒの透過状態及び遮断状態をそれぞれ切り替える。
【００２９】
〔画像表示システムの動作〕
図５は、画像表示システム１の動作を説明するための図である。具体的に、図５（Ａ）及び図５（Ｂ）は、入力インターフェース部２１を介して外部から入力した入力信号に含まれる垂直同期信号及び映像信号をそれぞれ示している。図５（Ｃ）及び図５（Ｄ）は、信号処理部２２にて変換された垂直同期信号及び映像信号をそれぞれ示している。図５（Ｅ）は、信号処理部２２から出力される第１，第２切替信号ＳＬ，ＳＲを示している。図５（Ｆ）及び図５（Ｇ）は、シャッター眼鏡３の傾きが小さい場合での各選択部３１Ｌ，３１Ｒにおける透過状態ＯＰまたは遮断状態ＣＬをそれぞれ示している。図５（Ｈ）及び図５（Ｉ）は、シャッター眼鏡３の傾きが大きい場合での各選択部３１Ｌ，３１Ｒにおける透過状態ＯＰまたは遮断状態ＣＬをそれぞれ示している。
次に、上述した画像表示システム１の動作について、図５を参照して説明する。
なお、以下では、説明の便宜上、画像表示システム１の動作として、ディスプレイ装置２の動作、及びシャッター眼鏡３の動作を順に説明する。
【００３０】
〔ディスプレイ装置の動作〕
本実施形態では、外部から入力される入力信号は、周波数６０Ｈｚの垂直同期信号（図５（Ａ））と、垂直走査期間Ｔ（１／６０（秒））毎に１フレーム分の左目用映像信号及び右目用映像信号が含まれる左右映像信号（図５（Ｂ））とで構成されている。
信号処理部２２は、入力インターフェース部２１を介して入力した入力信号について、図５（Ｃ）に示すように、垂直同期信号を２倍の周波数１２０Ｈｚの垂直同期信号に変換する。また、信号処理部２２は、図５（Ｄ）に示すように、変換した垂直同期信号の交互に繰り返される垂直走査期間ＴＬ，ＴＲ（１／１２０（秒））のうち、垂直走査期間ＴＬで左右映像信号に含まれる左目用映像信号を出力し、垂直走査期間ＴＲで左右映像信号に含まれる右目用映像信号を出力する。
そして、表示部２３は、信号処理部２２から出力される信号に基づいて、垂直走査期間ＴＬで画面Ｐ上に左目用映像信号に基づく左目用画像を表示し、垂直走査期間ＴＲで画面Ｐ上に右目用映像信号に基づく右目用画像を表示する。
【００３１】
また、信号処理部２２は、図５（Ｅ）に示すように、垂直走査期間ＴＬの開始時点に合わせて第１切替信号ＳＬを発光部２４に出力し、垂直走査期間ＴＲの開始時点に合わせて第２切替信号ＳＲを発光部２４に出力する。
そして、発光部２４は、各切替信号ＳＬ，ＳＲに応じて発光し、左切替信号及び右切替信号を出力（送信）する。
なお、本実施形態では、各切替信号ＳＬ，ＳＲは、図５（Ｅ）に示すように、信号幅（パルス幅）が異なるものである（第１切替信号ＳＬの信号幅は第２切替信号ＳＲの信号幅よりも小さい）。すなわち、発光部２４は、垂直走査期間ＴＬの開始時点から所定期間ＥＬ（図５）、発光して左切替信号を出力し、垂直走査期間ＴＲの開始時点から所定期間ＥＬよりも長い期間ＥＲ（図５）、発光して右切替信号を出力することとなる。
【００３２】
〔シャッター眼鏡の動作〕
受光部３２は、発光部２４からの赤外光（左切替信号及び右切替信号）を受光する。
上述したように、発光部２４の発光時間は、各切替信号ＳＬ，ＳＲに応じて異なるものとなっている。このため、受光部３２から出力される信号も、発光部２４の発光時間に対応して（各切替信号ＳＬ，ＳＲの信号幅に対応して）、信号幅が異なるものとなる。
そして、信号判別部３７１は、受光部３２からの信号の信号幅を認識することで、受光部３２にて受光した信号が左切替信号であるか、あるいは、右切替信号であるかを判別しながら、左側信号Ｌｓ及び右側信号Ｒｓを出力する。
また、第１信号切替部３７２は、傾斜状態判定部３６からの信号（シャッター眼鏡３の傾きが小さい場合にLowレベルの信号、傾きが大きい場合にHighレベルの信号）に基づいて、左側信号Ｌｓ及び右側信号Ｒｓの出力先を変更する。
以下では、説明の便宜上、シャッター眼鏡３の傾きが小さい場合と、傾きが大きい場合とを分けて順に説明する。
【００３３】
〔シャッター眼鏡の傾きが小さい場合の動作〕
第１信号切替部３７２は、シャッター眼鏡３の傾きが小さい場合（傾斜状態判定部３６からLowレベルの信号が出力された場合）には、図３の実線で示す状態となる。
すなわち、第１信号切替部３７２は、左側信号Ｌｓが左駆動部３７３Ｌに出力され、右側信号Ｒｓが右駆動部３７３Ｒに出力される状態に設定する。
そして、左駆動部３７３Ｌは、信号判別部３７１からの左側信号Ｌｓに基づいて、図５（Ｆ）に示すように、受光部３２による左切替信号の取得タイミングに応じて（第１切替信号ＳＬの出力完了時点ＰＬで）、左目用選択部３１ＬにＯＦＦ信号を出力して透過状態ＯＰへの切替を開始させ、左目用選択部３１Ｌを透過状態ＯＰに切り替える。
また、左駆動部３７３Ｌは、図５（Ｆ）に示すように、受光部３２による右切替信号の取得タイミングに応じて（第２切替信号ＳＲの出力完了時点ＰＲで）、左目用選択部３１ＬにＯＮ信号を出力して遮断状態ＣＬへの切替を開始させ、左目用選択部３１Ｌを遮断状態ＣＬに切り替える。
【００３４】
一方、右駆動部３７３Ｒは、信号判別部３７１からの右側信号Ｒｓに基づいて、図５（Ｇ）に示すように、受光部３２による左切替信号の取得タイミングに応じて（出力完了時点ＰＬで）、右目用選択部３１ＲにＯＮ信号を出力して遮断状態ＣＬへの切替を開始させ、右目用選択部３１Ｒを遮断状態ＣＬに切り替える。
また、右駆動部３７３Ｒは、図５（Ｇ）に示すように、受光部３２による右切替信号の取得タイミングに応じて（出力完了時点ＰＲで）、右目用選択部３１ＲにＯＦＦ信号を出力して透過状態ＯＰへの切替を開始させ、右目用選択部３１Ｒを透過状態ＯＰに切り替える。
すなわち、右駆動部３７３Ｒは、信号判別部３７１からの右側信号Ｒｓに基づいて、右目用選択部３１Ｒの各状態ＯＰ，ＣＬを、左目用選択部３１Ｌの各状態ＯＰ，ＣＬとは逆の状態に切り替える。
【００３５】
以上の動作により、画面Ｐ上に左目用画像が表示されている時には、左目用選択部３１Ｌのみが透過状態ＯＰとなっている。このため、画面Ｐ上の左目用画像は、シャッター眼鏡３を通して観察者の左目のみで視認されることとなる。
また、画面Ｐ上に右目用画像が表示されている時には、右目用選択部３１Ｒのみが透過状態ＯＰとなっている。このため、画面Ｐ上の右目用画像は、シャッター眼鏡３を通して観察者の右目のみで視認されることとなる。
したがって、観察者は、画面Ｐ上の表示画像（左目用画像及び右目用画像）を視差により立体視することとなる。
【００３６】
〔シャッター眼鏡の傾きが大きい場合の動作〕
第１信号切替部３７２は、シャッター眼鏡３の傾きが大きい場合（傾斜状態判定部３６からHighレベルの信号が出力された場合）には、図３の二点鎖線で示す状態となる。
すなわち、第１信号切替部３７２は、左側信号Ｌｓが各駆動部３７３Ｌ，３７３Ｒの双方に出力される状態に設定する。
そして、各駆動部３７３Ｌ，３７３Ｒは、信号判別部３７１からの左側信号Ｌｓに基づいて、図５（Ｈ）及び図５（Ｉ）に示すように、各選択部３１Ｌ，３１Ｒを上述したシャッター眼鏡３の傾きが小さい場合での左目用選択部３１Ｌの動作（図５（Ｆ））と同様に動作させる。
以上の動作により、画面Ｐ上に左目用画像が表示されている時にのみ各選択部３１Ｌ，３１Ｒの双方が透過状態ＯＰとなるため、観察者は、画面Ｐ上の左目用画像のみを両目で視認することとなる。
【００３７】
上述した第１実施形態によれば、以下の効果がある。
本実施形態では、シャッター眼鏡３が傾斜検出部３３、受光部３２、傾斜状態判定部３６、及び切替動作部３７を備えるので、シャッター眼鏡３の傾きが小さい場合には、シャッター眼鏡３を通して観察者に表示画像（左目用画像及び右目用画像）を立体視させることができる。また、シャッター眼鏡３の傾きが大きい場合には、シャッター眼鏡３を通して観察者に左目用画像のみを両目で視認させることができる。
したがって、シャッター眼鏡３を通して観察者に表示画像を視認させるにあたって、観察者の姿勢がいずれの姿勢であっても、観察者に不快感を与えることがなく、表示画像を良好に視認させることができる。
【００３８】
また、シャッター眼鏡３に閾値設定部３４が設けられているので、シャッター眼鏡３を通して観察者に左目用画像のみを両目で視認させる際の閾値Ｔｈ（シャッター眼鏡３の傾斜角度に相当）を観察者に選択させることができる。
したがって、シャッター眼鏡３を観察者の好みに応じて動作させることができ、利便性の向上が図れる。
【００３９】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
図６は、第２実施形態におけるシャッター眼鏡３の構成を示すブロック図である。
本実施形態では、前記第１実施形態に対して、図６に示すように、シャッター眼鏡３の構成が異なるのみである。
具体的に、第２実施形態におけるシャッター眼鏡３は、前記第１実施形態に対して、図６に示すように、タイミング選択部としての信号選択部３８と、第２信号切替部３７４が追加されている。
なお、その他の構成は、前記第１実施形態と同様のものである。
【００４０】
信号選択部３８は、利用者による操作される部分であり、シャッター眼鏡３の傾きが大きい場合に、左側信号Ｌｓまたは右側信号Ｒｓのどちらの信号に基づいて各選択部３１Ｌ，３１Ｒを動作させるかの選択を受け付ける。
言い換えれば、信号選択部３８は、各選択部３１Ｌ，３１Ｒの双方を透過状態ＯＰに切り替える取得タイミングとして、受光部３２による左切替信号及び右切替信号の各取得タイミングのうちいずれか一方の選択を受け付ける。
そして、信号選択部３８は、シャッター眼鏡３の傾きが大きい場合（傾斜状態判定部３６からHighレベルの信号が出力された場合）に、上記選択に応じた信号をシャッター制御部３５に出力する。
【００４１】
第２信号切替部３７４は、図６に示すように、スイッチで構成されている。
そして、第２信号切替部３７４は、信号選択部３８を介して左側信号Ｌｓに基づいて動作させる旨の選択（以下、左側信号Ｌｓの選択）がされ傾斜状態判定部３６からHighレベルの信号が出力された場合に、第１信号切替部３７２とともに、左側信号Ｌｓが各駆動部３７３Ｌ，３７３Ｒの双方に出力される状態に設定する。
また、第２信号切替部３７４は、信号選択部３８を介して右側信号Ｒｓに基づいて動作させる旨の選択（以下、右側信号Ｒｓの選択）がされ傾斜状態判定部３６からHighレベルの信号が出力された場合に、第１信号切替部３７２とともに、右側信号Ｒｓが各駆動部３７３Ｌ，３７３Ｒの双方に出力される状態に設定する。
【００４２】
図７は、第２実施形態における画像表示システム１の動作を説明するための図である。具体的に、図７（Ａ）〜図７（Ｇ）は、図５（Ａ）〜図５（Ｇ）と同様のものである。図７（Ｈ）及び図７（Ｉ）は、シャッター眼鏡３の傾きが大きく、かつ、信号選択部３８において左側信号Ｌｓの選択がされた場合での各選択部３１Ｌ，３１Ｒにおける透過状態ＯＰまたは遮断状態ＣＬをそれぞれ示している。図７（Ｊ）及び図７（Ｋ）は、シャッター眼鏡３の傾きが大きく、かつ、信号選択部３８において右側信号Ｒｓの選択がされた場合での各選択部３１Ｌ，３１Ｒにおける透過状態ＯＰまたは遮断状態ＣＬをそれぞれ示している。
【００４３】
シャッター眼鏡３の傾きが大きく、かつ、信号選択部３８において左側信号Ｌｓの選択がされた場合には、第１信号切替部３７２は図６の二点鎖線で示す状態となり、第２信号切替部３７４は図６の実線で示す状態となる。
すなわち、各信号切替部３７２，３７４は、左側信号Ｌｓが各駆動部３７３Ｌ，３７３Ｒの双方に出力される状態に設定する。
したがって、各駆動部３７３Ｌ，３７３Ｒは、信号判別部３７１からの左側信号Ｌｓに基づいて、図７（Ｈ）及び図７（Ｉ）に示すように、各選択部３１Ｌ，３１Ｒを前記第１実施形態で説明したシャッター眼鏡３の傾きが大きい場合での動作（図５（Ｈ）及び図５（Ｉ））と同様に動作させる。
【００４４】
一方、シャッター眼鏡３の傾きが大きく、かつ、信号選択部３８において右側信号Ｒｓの選択がされた場合には、第１信号切替部３７２は図６の実線で示す状態となり、第２信号切替部３７４は図６の二点鎖線で示す状態となる。
すなわち、各信号切替部３７２，３７４は、右側信号Ｒｓが各駆動部３７３Ｌ，３７３Ｒの双方に出力される状態に設定する。
そして、各駆動部３７３Ｌ，３７３Ｒは、信号判別部３７１からの右側信号Ｒｓに基づいて、図７（Ｊ）及び図７（Ｋ）に示すように、各選択部３１Ｌ，３１Ｒをシャッター眼鏡３の傾きが小さい場合での右目用選択部３１Ｒの動作（図７（Ｇ））と同様に動作させる。
以上の動作により、画面Ｐ上に右目用画像が表示されている時にのみ各選択部３１Ｌ，３１Ｒの双方が透過状態ＯＰとなるため、観察者は、画面Ｐ上の右目用画像のみを両目で視認することとなる。
【００４５】
上述した第２実施形態によれば、前記第１実施形態の効果の他、以下の効果がある。
本実施形態では、シャッター眼鏡３に信号選択部３８が設けられ、切替動作部３７が信号選択部３８を介した選択に基づいて各選択部３１Ｌ，３１Ｒを動作させる。
このことにより、観察者は、例えば、顔を右側に傾けているにも拘らず左目用画像のみを両目で視認している場合に、信号選択部３８を介して右側信号Ｒｓの選択を実施することで、右目用画像のみを両目で視認する状態に切り替えることができる。
したがって、観察者に違和感を与えることなく、表示画像をさらに良好に視認させることができる。
【００４６】
[第３実施形態]
次に、本発明の第３実施形態を図面に基づいて説明する。
以下の説明では、前記第２実施形態と同様の構成及び同一部材には同一の符号を付して、その詳細な説明は省略または簡略化する。
図８は、第３実施形態におけるシャッター眼鏡３の構成を示すブロック図である。
本実施形態では、前記第２実施形態に対して、図８に示すように、シャッター眼鏡３の構成が異なるのみである。
具体的に、第３実施形態におけるシャッター眼鏡３は、前記第２実施形態に対して、図８に示すように、信号選択部３８が省略され、傾斜状態判定部３６からの出力信号Ｓ２に基づいて第２信号切替部３７４が動作する点が異なるのみである。その他の構成は、前記第２実施形態と同様のものである。
【００４７】
図９は、第３実施形態における傾斜状態判定部３６の構成を示すブロック図である。
図１０は、傾斜状態判定部３６の出力信号Ｓ１，Ｓ２を説明するための図である。具体的に、図１０（Ａ）はシャッター眼鏡３の傾きに対する傾斜検出部３３の出力信号を示し、図１０（Ｂ）及び図１０（Ｃ）はシャッター眼鏡３の傾きに対する傾斜状態判定部３６の出力信号Ｓ１，Ｓ２をそれぞれ示している。
第３実施形態における傾斜検出部３３は、図１０（Ａ）に示すように、シャッター眼鏡３の傾きが０の場合には出力値が０の信号を出力する。また、傾斜検出部３３は、シャッター眼鏡３が右側に傾いた場合には出力値が正の信号を出力し、左側に傾いた場合には出力値が負の信号を出力する。
なお、傾斜検出部３３は、シャッター眼鏡３の傾きが大きくなるにしたがって、出力値の絶対値が大きい信号を出力するものである。
【００４８】
第３実施形態における傾斜状態判定部３６は、図９に示すように、傾斜検出部３３の出力値と第１閾値Ｖｈ１とを比較する第１コンパレーター３６Ａと、ＮＯＴ回路３６Ｂと、傾斜検出部３３の出力値と第２閾値Ｖｈ２とを比較する第２コンパレーター３６Ｃと、ＯＲ回路３６Ｄとを備える。
なお、第１閾値Ｖｈ１は、前記第１実施形態で説明した閾値Ｔｈと同様の正の値である。
また、第２閾値Ｖｈ２は、第１閾値Ｖｈ１と絶対値が同一の負の値である。
これら各閾値Ｖｈ１，Ｖｈ２は、前記第１実施形態と同様に、閾値設定部３４を介して利用者により所定の値を選択可能に構成されているものである。
【００４９】
そして、傾斜状態判定部３６は、第１コンパレーター３６Ａ及びＮＯＴ回路３６Ｂを介した信号と第２コンパレーター３６Ｃを介した信号とがＯＲ回路３６Ｄに入力され、ＯＲ回路３６Ｄから出力された信号を出力信号Ｓ１として出力する。
また、傾斜状態判定部３６は、第１コンパレーター３６Ａ及びＮＯＴ回路３６Ｂを介した信号を出力信号Ｓ２として出力する。
【００５０】
具体的に、傾斜検出部３３の出力値が第１閾値Ｖｈ１未満の場合には、第１コンパレーター３６Ａは、Highレベルの信号を出力する。したがって、この場合の出力信号Ｓ２は、図１０（Ｃ）に示すように、ＮＯＴ回路３６Ｂを介して、Lowレベルの信号となる。
一方、傾斜検出部３３の出力値が第１閾値Ｖｈ１以上の場合には、第１コンパレーター３６Ａは、Lowレベルの信号を出力する。したがって、この場合の出力信号Ｓ２は、図１０（Ｃ）に示すように、ＮＯＴ回路３６Ｂを介して、Highレベルの信号となる。
【００５１】
また、傾斜検出部３３の出力値が第２閾値Ｖｈ２未満の場合には、第２コンパレーター３６Ｃは、Highレベルの信号を出力する。したがって、この場合の出力信号Ｓ１は、ＮＯＴ回路３６ＢからLowレベルの信号が出力され（図１０（Ｃ））、第２コンパレーター３６ＣからHighレベルの信号が出力されるため、図１０（Ｂ）に示すように、ＯＲ回路３６Ｄを介してHighレベルの信号となる。
【００５２】
一方、傾斜検出部３３の出力値が第２閾値Ｖｈ２以上の場合には、第２コンパレーター３６Ｃは、Lowレベルの信号を出力する。
すなわち、傾斜検出部３３の出力値が第１閾値Ｖｈ１と第２閾値Ｖｈ２との間の場合の出力信号Ｓ１は、ＮＯＴ回路３６ＢからLowレベルの信号が出力され（図１０（Ｃ））、第２コンパレーター３６ＣからもLowレベルの信号が出力されるため、図１０（Ｂ）に示すように、ＯＲ回路３６Ｄを介してLowレベルの信号となる。
また、傾斜検出部３３の出力値が第１閾値Ｖｈ１以上の場合の出力信号Ｓ１は、ＮＯＴ回路３６ＢからHighレベルの信号が出力され（図１０（Ｃ））、第２コンパレーター３６ＣからLowレベルの信号が出力されるため、図１０（Ｂ）に示すように、ＯＲ回路３６Ｄを介してHighレベルの信号となる。
そして、傾斜状態判定部３６からの出力信号Ｓ１は、図８に示すように、第１信号切替部３７２に入力される。
なお、出力信号Ｓ１は、上述したように、前記第１実施形態で説明した傾斜状態判定部３６から第１信号切替部３７２に出力される信号と同一のものである。
したがって、第３実施形態においても、第１信号切替部３７２は、前記第１実施形態と同様に動作することとなる。
【００５３】
また、傾斜状態判定部３６からの出力信号Ｓ２は、図８に示すように、第２信号切替部３７４に入力される。
そして、第２信号切替部３７４は、出力信号Ｓ２がHighレベルの信号である場合（シャッター眼鏡３が右側に大きく傾いた場合）に、図８に示す二点鎖線の状態となる（各選択部３１Ｌ，３１Ｒは、図７（Ｊ）及び図７（Ｋ）に示すように動作する）。
また、第２信号切替部３７４は、出力信号Ｓ２がLowレベルの信号である場合（シャッター眼鏡３がそれほど傾いていない場合、及び左側に大きく傾いた場合）に、図８に示す実線の状態となる（各選択部３１Ｌ，３１Ｒは、図７（Ｈ）及び図７（Ｉ）に示すように動作する）。
【００５４】
上述した第３実施形態によれば、前記第１実施形態と同様の効果の他、以下の効果がある。
本実施形態では、傾斜状態判定部３６が傾斜検出部３３の出力値に基づいてシャッター眼鏡３の傾斜方向を判定して出力信号Ｓ２を出力し、切替動作部３７が出力信号Ｓ２に基づいて各選択部３１Ｌ，３１Ｒを動作させる。
このことにより、観察者が例えば顔を右側に傾けている場合には右目用画像のみを両目で視認させるように自動的に動作することとなり、左側に傾けている場合には左目用画像のみを両目で視認させるように自動的に動作することとなる。
したがって、観察者に違和感を与えることなく、表示画像をさらに良好に視認させることができる。
【００５５】
[第４実施形態]
次に、本発明の第４実施形態を図面に基づいて説明する。
以下の説明では、前記第３実施形態と同様の構成及び同一部材には同一符号を付して、その詳細な説明は省略または簡略化する。
本実施形態では、前記第３実施形態に対して、シャッター眼鏡３の傾斜状態の検出構造が異なるのみである。その他の構成は、前記第３実施形態と同様のものである。
【００５６】
図１１は、第４実施形態における発光部２４の構成を模式的に示す図である。
第４実施形態における発光部２４は、図１１に示すように、複数の赤外発光ＬＥＤ２４Ａと、これら赤外発光ＬＥＤ２４Ａを発光させる駆動回路（図示略）と、各赤外発光ＬＥＤ２４Ａの前面側（観察者側）に配設される偏光板２４Ｂとを備える。
偏光板２４Ｂは、鉛直方向に沿う偏光軸ＡｘＥ（図１１）を有し、各赤外発光ＬＥＤ２４Ａから出射された赤外光（左切替信号及び右切替信号）のうち、偏光軸ＡｘＥに沿う偏光方向の直線偏光成分のみを透過させる。
すなわち、発光部２４は、偏光軸ＡｘＥに沿う直線偏光成分の左切替信号及び右切替信号を出力する。
【００５７】
図１２は、第４実施形態におけるシャッター眼鏡３の構成を示すブロック図である。
図１３は、第４実施形態における受光部３２の構成を模式的に示す図である。
第４実施形態におけるシャッター眼鏡３は、図１２または図１３に示すように、受光部３２が左受光部３２Ｌ及び右受光部３２Ｒの２つで構成され、傾斜検出部３３が各受光部３２Ｌ，３２Ｒからの信号に基づいてシャッター眼鏡３の傾斜状態を検出する。
左受光部３２Ｌは、図１３に示すように、赤外受光素子３２１Ｌと、赤外受光素子３２１Ｌの前面側（ディスプレイ装置２に対向する側）に配設される偏光板３２２Ｌとを備える。
偏光板３２２Ｌは、鉛直方向に対して略４５°傾斜（シャッター眼鏡３が左側に傾いた際に鉛直方向に近付くように傾斜）した偏光軸ＡｘＬを有し、入射した赤外光（左切替信号及び右切替信号）のうち、偏光軸ＡｘＬに沿う偏光方向の直線偏光成分のみを透過させる。
【００５８】
右受光部３２Ｒは、図１３に示すように、左受光部３２Ｌの赤外受光素子３２１Ｌ及び偏光板３２２Ｌと同様の赤外受光素子３２１Ｒ及び偏光板３２２Ｒを備える。
なお、偏光板３２２Ｒの偏光軸ＡｘＲは、図１３に示すように、偏光板３２２Ｌの偏光軸ＡｘＬに直交し、シャッター眼鏡３が右側に傾いた際に鉛直方向に近付くように傾斜している。
【００５９】
したがって、シャッター眼鏡３の傾きが０の場合には、左切替信号及び右切替信号の受光による各受光部３２Ｌ，３２Ｒの出力値Ｌ，Ｒは、同一のものとなる（図１５（Ａ）参照）。
また、シャッター眼鏡３が左側に傾いた場合には、左受光部３２Ｌの出力値Ｌが大きくなり、右受光部３２Ｒの出力値Ｒが小さくなる。
一方、シャッター眼鏡３が右側に傾いた場合には、逆に、右受光部３２Ｒの出力値Ｒが大きくなり、左受光部３２Ｌの出力値Ｌが小さくなる。
【００６０】
図１４は、第４実施形態における傾斜検出部３３の構成を示すブロック図である。
図１５は、第４実施形態における各受光部３２Ｌ，３２Ｒの出力値Ｌ，Ｒ、傾斜検出部３３の出力値Ｓ，Ｄ、及び傾斜状態判定部３６の出力信号Ｓ１，Ｓ２を示す図である。具体的に、図１５（Ａ）は、シャッター眼鏡３の傾きに対する各受光部３２Ｌ，３２Ｒの出力値Ｌ，Ｒ及び傾斜検出部３３の出力値Ｓを示し、図１５（Ｂ）はシャッター眼鏡３の傾きに対する傾斜検出部３３の出力値Ｄを示し、図１５（Ｃ）及び図１５（Ｄ）はシャッター眼鏡３の傾きに対する傾斜状態判定部３６の出力信号Ｓ１，Ｓ２を示している。
第４実施形態における傾斜検出部３３は、図１４に示すように、左受光部３２Ｌの出力値Ｌと右受光部３２Ｒの出力値Ｒとを加算する加算回路３３１と、出力値Ｒ及び出力値Ｌの差分をとる差分回路３３２とを備える。
加算回路３３１の出力値Ｓ（出力値Ｌ，Ｒの和）は、図１４に示すように、信号判別部３７１に入力される。
なお、出力値Ｓは、前記第３実施形態で説明した受光部３２の左切替信号及び右切替信号の受光による出力値と同様のものである。
したがって、第４実施形態においても、信号判別部３７１は、前記第１実施形態と同様の判別を行うことができる。
【００６１】
差分回路３３２の出力は、保持部３３３を介して出力値Ｄ（出力値Ｒ，Ｌの差）として、図１４に示すように、傾斜状態判定部３６に入力される。保持部３３３は、加算回路３３１の出力Ｓが出力された時に差分回路３３２の出力値を更新して保持するもので、受光される赤外光は離散的であるが出力値Ｄを安定した連続値として出力することができる。
なお、出力値Ｄは、図１５（Ｂ）に示すように、前記第３実施形態で説明した傾斜検出部３３の出力値と同様のものとなる。
したがって、傾斜状態判定部３６は、図１５（Ｃ）及び図１５（Ｄ）に示すように、前記第３実施形態と同様の出力信号Ｓ１，Ｓ２を出力することとなる。
【００６２】
上述した第４実施形態によれば、前記第３実施形態と同様の効果の他、以下の効果がある。
本実施形態では、発光部２４及び受光部３２における信号の送受信にあたって、直線偏光を利用している。すなわち、シャッター眼鏡３の傾きに応じて各受光部３２Ｌ，３２Ｒの各出力値が異なるものとなるため、当該各出力値の関係に基づいて、シャッター眼鏡３の傾斜状態を検出することができる。
したがって、傾斜検出部３３として、ジャイロセンサーや加速度センサー等を用いることなく、簡単にシャッター眼鏡３の傾斜状態を検出することができる。
【００６３】
[第５実施形態]
次に、本発明の第５実施形態を図面に基づいて説明する。
以下の説明では、前記第１実施形態と同様の構成及び同一部材には同一符号を付して、その詳細な説明は省略または簡略化する。
図１６は、第５実施形態における画像表示システム１の使用形態を示す図である。
前記第１実施形態では、画像表示装置として、画面Ｐ上に表示画像（左目用画像、右目用画像）を表示するディスプレイ装置２を採用していた。
これに対して第５実施形態では、図１６に示すように、画像表示装置として、プロジェクター４を採用している点が異なるのみである。
【００６４】
プロジェクター４は、具体的な図示は省略したが、前記第１実施形態で説明したディスプレイ装置２と同様の構成２１〜２４を備える。
なお、第５実施形態における表示部２３は、光源からの光束を変調して画像を形成する液晶パネル等の光変調装置と、投射レンズ４１（図１６）とを備える。
そして、プロジェクター４は、信号処理部２２から出力される信号に基づいて前記光変調装置にて形成された画像を投射レンズ４１にてスクリーンＳｃ（図１６）に向けて投射し、スクリーンＳｃ上に投影画像（左目用画像、右目用画像）を表示する。
また、本実施形態では、発光部２４は、図１６に示すように、プロジェクター４における外装筐体４Ａの背面側の端面に配設されている。
【００６５】
上述した第５実施形態のように画像表示装置としてプロジェクター４を採用した場合であっても、前記第１実施形態と同様の作用及び効果を享受できる。
【００６６】
なお、本発明は前述の実施形態に限定されるものではなく、本発明の目的を達成できる範囲での変形、改良等は本発明に含まれるものである。
前記各実施形態では、左側信号Ｌｓは、左切替信号の取得タイミングに応じて液晶シャッターを透過状態に切り替え、右切替信号の取得タイミングに応じて液晶シャッターを遮断状態に切り替える旨の信号としたが、これに限らない。左側信号Ｌｓとしては、左切替信号の取得タイミングに応じて液晶シャッターを透過状態に切り替え、予め設定された所定期間経過後に遮断状態に切り替える信号とすることができる。または、左側信号Ｌｓとしては、左切替信号の取得タイミングに応じて液晶シャッターを透過状態に切り替え、他の信号に応じて液晶シャッターを遮断状態に切り替える信号とすることができる。つまり、左側信号Ｌｓは、左目用画像が表示されている期間内に液晶シャッターが透過状態であり、右目用画像が表示されている期間内に液晶シャッターが遮断状態であるように、液晶シャッターの透過状態と遮断状態とを切り替える信号であればよい。
同様に、右側信号Ｒｓは、右切替信号の取得タイミングに応じて液晶シャッターを透過状態に切り替え、左切替信号の取得タイミングに応じて液晶シャッターを遮断状態に切り替える旨の信号としたが、これに限らない。右側信号Ｒｓとしては、右切替信号の取得タイミングに応じて液晶シャッターを透過状態に切り替え、予め設定された所定期間経過後に液晶シャッターを遮断状態に切り替える信号とすることができる。または、右側信号Ｒｓとしては、右切替信号の取得タイミングに応じて液晶シャッターを透過状態に切り替え、他の信号に応じて液晶シャッターを遮断状態に切り替える信号とすることができる。つまり、右側信号Ｒｓは、右目用画像が表示されている期間内に液晶シャッターが透過状態であり、左目用画像が表示されている期間内に液晶シャッターが遮断状態であるように、液晶シャッターの透過状態と遮断状態とを切り替える信号であればよい。
【００６７】
前記各実施形態では、各選択部３１Ｌ，３１Ｒは、液晶シャッターで構成されていたが、これに限らない。左目用選択部及び右目用選択部としては、透過状態ＯＰまたは遮断状態ＣＬに切り替わる構成であれば、例えば機械的に透過状態または遮断状態に切り替わる構成等、その他の構成を採用しても構わない。
前記１〜第３、第５実施形態では、受光部３２及び発光部２４は、赤外線信号の送受信を行っていたが、信号の種類は赤外線信号に限らず、その他の種類の信号を送受信する構成としても構わない。
【００６８】
前記第４実施形態において、偏光軸ＡｘＥ，ＡｘＬ，ＡｘＲは、前記第５実施形態で説明した方向に限らない。
また、前記第４実施形態において、偏光軸ＡｘＬ，ＡｘＲは、互いに異なる偏光軸であればよく、いずれか一方が偏光軸ＡｘＥと同一方向となっても構わない。
さらに、前記第４実施形態では、受光部３２は、各受光部３２Ｌ，３２Ｒの２つで構成されていたが、その数は、複数であれば、２つに限らない。
【産業上の利用可能性】
【００６９】
本発明は、プロジェクター等の画像表示装置やシャッター眼鏡を用いて画像を立体視させる画像表示システムに利用できる。
【符号の説明】
【００７０】
１・・・画像表示システム、２・・・ディスプレイ装置（画像表示装置）、３・・・シャッター眼鏡、４・・・プロジェクター（画像表示装置）、２２・・・信号処理部（制御部）、２３・・・表示部、２４・・・発光部（信号出力部）、３１Ｌ・・・左目用選択部、３１Ｒ・・・右目用選択部、３２，３２Ｌ，３２Ｒ・・・受光部（信号取得部）、３３・・・傾斜検出部、３６・・・傾斜状態判定部、３７・・・切替動作部、３８・・・信号選択部（タイミング選択部）、ＣＬ・・・遮断状態、ＯＰ・・・透過状態。
【図１】
0005578090.tif 000002
【図２】
0005578090.tif 000003
【図３】
0005578090.tif 000004
【図４】
0005578090.tif 000005
【図５】
0005578090.tif 000006
【図６】
0005578090.tif 000007
【図７】
0005578090.tif 000008
【図８】
0005578090.tif 000009
【図９】
0005578090.tif 000010
【図１０】
0005578090.tif 000011
【図１１】
0005578090.tif 000012
【図１２】
0005578090.tif 000013
【図１３】
0005578090.tif 000014
【図１４】
0005578090.tif 000015
【図１５】
0005578090.tif 000016
【図１６】
0005578090.tif 000017